(57)【特許請求の範囲】
【請求項１】
塵芥収集車の塵芥収容箱に連設され、塵芥投入口から投入された塵芥を該塵芥収容箱に押し込む塵芥積込装置が内蔵された塵芥収集車の塵芥投入箱において、
上記塵芥投入口の上方に車両側方から見て上記塵芥投入箱の外形に沿って後方に向かって下方へ傾斜すると共に下方にいくに従って厚みが増して下端に段差部が設けられた、樹脂製で開閉自在なルーフカバーを有し、
上記ルーフカバーの下方の上記塵芥投入口の上縁部には、車幅方向に延びて上記塵芥投入箱の左右側壁を連結すると共に車幅方向に直線状に延びる滑面部を有する金属板製の後面スペース部材が固定されて、上記ルーフカバーの上記段差部の下方に上記滑面部が位置しており、該後面スペース部材は、付属部品を取付可能に構成され、
上記滑面部は、上記左右側壁の一方に連結された部分から上記左右側壁の他方に連結された部分に亘って、車両側方から見て上記塵芥投入箱の外形に沿って後方に向かって下方へ滑らかに傾斜するように設けられるとともに、上記段差部と上記滑面部とが接続されるように上記ルーフカバーを閉じた状態に固定するルーフカバーロック機構を備える
ことを特徴とする塵芥収集車の塵芥投入箱。
【請求項２】
請求項１に記載の塵芥収集車の塵芥投入箱において、
上記段差部には、車両後方から見て車幅方向中央にハイマウントストップランプが設けられている
ことを特徴とする塵芥収集車の塵芥投入箱。
【請求項３】
請求項１又は２に記載の塵芥収集車の塵芥投入箱において、
上記付属部品として、文字を表示可能な作業状況表示灯が、車両後方から見て上記ルーフカバーと上記塵芥投入口との間に収まるように、上記後面スペース部材の滑面部に対してブラケットを介して取り付けられている
ことを特徴とする塵芥収集車の塵芥投入箱。
【発明の詳細な説明】
【技術分野】
【０００１】
本発明は、塵芥収集車の塵芥収容箱に連設され、塵芥投入口から投入された塵芥を該塵芥収容箱に押し込む塵芥積込装置が内蔵された塵芥収集車の塵芥投入箱に関し、特にその作業中等の状態を示す作業状況表示灯などの付属部品の取付構造に関する。
【背景技術】
【０００２】
従来より、例えば特許文献１のように、塵芥投入箱の後部の塵芥投入口を上下にスライドさせる金属製の開閉扉で覆う塵芥投入箱が知られている。この塵芥投入箱では、開閉扉は、塵芥投入口の上縁部裏側に沿って上下にスライド移動可能となっている。また、塵芥投入口の上方には、開閉可能なルーフカバー（上部カバー）が設けられ、これにより内部の点検等をしやすくしている。ルーフカバーと塵芥投入口との間には、ルーフカバーに連設されるようにして、リアランプとそのランプカバーとが設けられている。ルーフカバーとランプカバーとは塵芥投入箱の後方に向かって下方へ傾く後面を形成し、特にランプカバーは塵芥投入口の上縁部を形成している。また、ルーフカバーとランプカバーとは、樹脂成型品で形成され、それらの裏面側には、部分的に金属製の補強部材が取り付けられていた。従来は、ルーフカバー又はランプカバーにおける補強部材の部分に取付ブラケットを設け、この取付ブラケットに表示灯、バックアイカメラ等のオプション部品を取り付けていた。
【０００３】
従来の開閉扉は、開状態では、ルーフカバー及びランプカバーの裏側に収納される形となる。しかし、開閉扉の下端部には取っ手が存在すると共に塵芥投入箱の内部空間は限りがあるので、開状態であっても開閉扉の下端部が塵芥投入口の上縁部から下方に露出した状態になっていた。
【０００４】
一方、特許文献２のように、塵芥投入箱の塵芥投入口の近傍に設けられたブラケットと、ブラケットに回転自在に支持されたスイングアームとを備え、スイングアームを回転させることによって、スイングアームに保持した塵芥用コンテナを傾倒させて塵芥用コンテナ内の塵芥を塵芥投入口から塵芥投入箱に投入するコンテナ傾倒装置が知られている。
【先行技術文献】
【特許文献】
【０００５】
【特許文献１】２０１３−１７００７４号公報
【特許文献２】特許第５７２７８１５号公報
【発明の概要】
【発明が解決しようとする課題】
【０００６】
従来のように、樹脂成形品のルーフカバー又はランプカバーにおける補強部材の部分に取付ブラケットを介して表示灯やバックアイカメラ等のオプション部品を取り付ける場合、オプション部品の固定位置が限定される上に、オプション部品によってルーフカバーの重さが増して開閉作業がしにくいという問題がある。
【０００７】
一方、上記特許文献２のようなオプションのコンテナ傾倒装置を塵芥投入箱に設ける場合、反転したコンテナが塵芥投入口の上縁部と接触しないようにする必要がある。このため、開閉扉や上縁部の位置を調整する必要がある。
【０００８】
しかしながら、特許文献１のように、塵芥投入口の上縁部を構成する部材を樹脂成形品で構成すると、その上縁部の位置を容易に変更することができなかった。
【０００９】
具体的には、従来、コンテナ傾倒装置を塵芥投入箱に設ける場合、開閉扉の開状態においてよりいっそう塵芥投入口を開口させるため、金属製の開閉扉の下端部を切り取って開閉扉の下端と塵芥投入口の下縁部との距離を拡大するようにしていた。その際、開閉扉の開状態において塵芥投入口上縁部から下方へ露出している部分の余裕代がないときは、ランプカバーを標準の位置から上方へずらし、標準より小さいルーフカバーを板金加工で別途作成していた。何故なら、標準の樹脂成型品のルーフカバーを切断すれば見映えと強度が低下し、ルーフカバーの裏面側に取り付けられた補強部材も最適な補強強度が保てなくなり、大がかりな設計変更が必要となるからである。一方、形状変更した樹脂成形品のルーフカバーを別途用意すれば、数が少ないオプション品に追加の金型が必要となり、費用が嵩んでしまう。
【００１０】
また、従来のように標準のルーフカバーに変えて金属製のルーフカバーを取り付ければ比較的費用は抑えられるが、樹脂成形品のような細かな造形を出すことができずに見映えが悪くなってしまう。また、標準品から重さが増してルーフカバーの開閉作業が煩わしくなってしまう。
【００１１】
本発明は、かかる点に鑑みてなされたものであり、その目的とするところは、作業状況を表す作業状況表示灯などのオプション部品を適切な位置に確実に固定すると共に、塵芥投入口の上縁部の位置を容易に変更できるようにすることにある。
【課題を解決するための手段】
【００１２】
上記の目的を達成するために、この発明では、作業状況表示灯を塵芥投入口上縁の金属板部分に固定するようにした。
【００１３】
具体的には、第１の発明では、塵芥収集車の塵芥収容箱に連設され、塵芥投入口から投入された塵芥を該塵芥収容箱に押し込む塵芥積込装置が内蔵された塵芥収集車の塵芥投入箱を前提とする。
【００１４】
そして、上記塵芥投入口の上方に樹脂製で開閉自在なルーフカバーを有し、
上記ルーフカバーの下方の上記塵芥投入口の上縁部には、車幅方向に延びて上記塵芥投入箱の左右側壁を連結すると共に滑面部を有する金属板製の後面スペース部材が固定されており、該後面スペース部材は、付属部品を取付可能に構成されている。
【００１５】
上記の構成によると、車幅方向に延びて上記塵芥投入箱の左右側壁を連結する剛性の高い金属板製の後面スペース部材に付属部品を取り付けるようにしているので、開閉可能な樹脂製のルーフカバーに取り付ける場合に比べて付属部品の取付位置の自由度が高くなる上に、付属部品が確実に固定される。付属部品は、特に限定されず、作業状況表示灯、作業灯、バックアイカメラ、ナンバープレート等が考えられる。
【００１６】
また、オプションのコンテナ傾倒装置を塵芥投入箱に設ける場合に、ルーフカバーは標準品を使用しつつ、後面スペース部材の上下幅を調整することで、容易に塵芥投入口の上縁部の位置を容易に変更できる。後面スペース部材は金属板製なので、樹脂成形品と比較して切断やつなぎが容易だからである。
【００１７】
第２の発明は、第１の発明において、
上記付属部品として、文字を表示可能な作業状況表示灯が、車両後方から見て上記ルーフカバーと上記塵芥投入口との間に収まるように、上記後面スペース部材の滑面部に対してブラケットを介して取り付けられている。
【００１８】
上記の構成によると、塵芥投入箱の後方から見て作業状況表示灯がルーフカバーや塵芥投入口の一部を覆うことがない。これにより、ルーフカバーの開閉時に作業状況表示灯が邪魔になることがない。また、塵芥投入口に投入する塵芥が作業状況表示灯に引っかかることがない。さらに、作業状況表示灯が後方から見てルーフカバーと塵芥投入口との間にすっきりと収まり見映えがよい。これにより、作業状況表示灯は、確実に後面スペース部に固定されると共により適切な位置に配設されることになる。
【００１９】
なお、「作業状況表示灯」は、「作業中」など一通りの表示だけでなく、複数通りの文字や模様を表示可能に構成してもよい。
【００２０】
第３の発明は、第２の発明において、
上記作業状況表示灯は、複数のＬＥＤ光源を有し、作業状況に合わせて文字を表示可能となっている。
【００２１】
上記の構成によると、ＬＥＤ光源を利用するので、消費電力が少なくて済む上、軽量でメンテナンスが容易なコンパクトなものとすることができる。また、ＬＥＤ光源を多数並べることで、表示する文字を変更しやすいため、幅広い用途に使用できる。
【００２２】
第４の発明は、第３の発明において、
上記作業状況表示灯は、上記塵芥収集車が有するＰＴＯに連動して作業中の文字を表示可能となっている。
【００２３】
上記の構成によると、通常は作業中にＰＴＯの電源を入れるので、塵芥積込装置の作業中には、「作業中」の文字が確実に点灯される。このため、周りの人物に確実に注意喚起可能となる。
【発明の効果】
【００２４】
以上説明したように、本発明によれば、塵芥投入口の上縁部に車幅方向に延びて塵芥投入箱の左右側壁を連結すると共に滑面部を有する金属板製の後面スペース部材に付属部品を取付可能に構成したことにより、作業状況を表す作業状況表示灯などのオプション部品を適切な位置に確実に固定することができると共に、塵芥投入口の上縁部の位置を容易に変更できるようにする。
【図面の簡単な説明】
【００２５】
【図１Ａ】本発明の実施形態に係る塵芥収集車の塵芥投入箱に設ける作業状況表示灯及びその周辺を拡大して示す背面図である。
【図１Ｂ】本発明の実施形態に係る塵芥収集車の塵芥投入箱に設ける作業状況表示灯及びその周辺を拡大して示す側面図である。
【図２】本発明の実施形態に係る塵芥収集車を示す側面図である。
【図３】本発明の実施形態に係る塵芥収集車を示す背面図である。
【発明を実施するための形態】
【００２６】
以下、本発明の実施形態を図面に基づいて説明する。
【００２７】
図２及び図３は、本発明の実施形態の塵芥投入箱５を備えた塵芥収集車１を示す（図３は塵芥投入箱５の下方を省略している）。この塵芥収集車１は、走行可能な車台２を備え、この車台２には、運転室３と、塵芥収容箱４とが搭載され、その塵芥収容箱４の後方に塵芥投入箱５が連設されている。
【００２８】
詳しくは図示しないが、塵芥投入箱５は、塵芥収容箱４の上端に設けた回動軸を中心に回動シリンダを伸縮させることで、塵芥収容箱４の後方開口を開閉可能となっている。この塵芥投入箱５の内部には、後方に設けた塵芥投入口６から投入された塵芥を塵芥収容箱４に押し込む塵芥積込装置が内蔵されている。例えば、摺動板を上下に摺動し、圧縮板を前後に揺動するプレス式の塵芥積込装置でもよいし、回転板式や遊星歯車式の塵芥積込装置であってもよい。塵芥投入箱５は、塵芥投入口６の上縁部裏側に沿って上下にスライド移動可能な開閉扉７で覆われている。
【００２９】
回動シリンダ等のある左右側壁５ａの車幅方向外側部分は、図２及び図３に示すように、車幅方向両外側に設けたヒンジ部を中心に開閉可能なサイドカバー８で覆われて見映えがよくなっている。具体的には、このサイドカバー８は、例えば、樹脂成形品で形成されており、塵芥投入箱５の左右側壁５ａに上下に間隔を空けて設けた複数のヒンジ部を中心に開閉可能となっている。そして、塵芥投入口６の上方には、車幅方向に延びる上端部の揺動軸９ａを中心に開閉可能なルーフカバー９が設けられている。ルーフカバー９は、例えば、樹脂成形品よりなり、下方に行くほど厚みが増す形状となっている。このルーフカバー９は、車幅方向（左右方向）中央下端にハイマウントストップランプ１０が設けられている。また、ルーフカバー９は、左右下端に設けたルーフカバーロック機構１１により、固定可能となっている。
【００３０】
そして、図１Ａ及び図１Ｂに示すように、塵芥投入口６の上縁部には、車幅方向に延びて塵芥投入箱５の左右側壁５ａを連結する金属板製の後面スペース部材５ｂが固定されている。後面スペース部材５ｂは、複数の鋼板よりなり、左右側壁５ａに例えば溶接されている。本実施形態では、後面スペース部材５ｂの近傍下方に、同様に左右側壁５ａを連結するクロスメンバ５ｃが設けられているので、さらに後面スペース部材５ｂ周辺の剛性が向上している。後面スペース部材５ｂは、塵芥投入口６の上縁部を形成している。また、後面スペース部材５ｂは、車幅方向に延びる滑面部５１ｂを有している。後面スペース部材５ｂには、各種の付属部品が取り付けられている。また、ルーフカバーロック機構１１の係合部１１ａが、剛性の高い後面スペース部材５ｂの滑面部５１ｂに固定したフック部１１ｂに引っかけられることで、ルーフカバー９が確実にロックされるようになっている。
【００３１】
付属部品として、例えば、文字を表示可能な作業状況表示灯２０が、後面スペース部材５ｂの滑面部５１ｂに対して取り付けられている。具体的には、作業状況表示灯２０は、板状のＬＥＤ表示部２０ａを有し、このＬＥＤ表示部２０ａが取付ブラケット２０ｂを介して後面スペース部材５ｂの剛性の高い部分にボルト等により固定されている。作業状況表示灯２０は、車両後方から見てルーフカバー９と塵芥投入口６との間に収まるように設けられている。作業状況表示灯２０は、ＬＥＤが多数配列されたＬＥＤ光源を有し、作業状況に合わせて文字を表示可能となっている。
例えば、作業状況表示灯２０は、塵芥収集車が有するＰＴＯに連動して「作業中」の文字を表示可能となっている。なお、作業状況表示灯２０は、「作業中」など一通りの表示だけでなく、複数通りの文字や模様を表示可能に構成してもよい。
【００３２】
図３に示すように、後面スペース部材５ｂに取り付けられる付属部品は、作業状況表示灯２０に限定されず、作業灯２１、ナンバープレート２２、バックアイカメラ２３等が設けられる。この他にもカゴを取り付けるカゴ取付ブラケットなどを設けてもよい。
【００３３】
このように、本実施形態では、作業状況表示灯２０等の質量が比較的大きな付属部品を剛性の高い後面スペース部材５ｂに取り付けているので、開閉可能な樹脂製のルーフカバーに取り付ける場合に比べて付属部品の取付位置の自由度が高くなる上に、付属部品が確実に固定される。このため、がたつかず、取付も容易である。
【００３４】
また、オプションのコンテナ傾倒装置を塵芥投入箱５に設ける場合に、ルーフカバー９は標準品を使用しつつ、後面スペース部材５ｂの上下幅を調整することで、容易に塵芥投入口６の上縁部の位置を容易に変更できる。
【００３５】
また、作業状況表示灯２０は、車両後方から見てルーフカバー９と塵芥投入口６との間に収まるように設けられているので、塵芥投入箱５の後方から見て作業状況表示灯２０がルーフカバー９や塵芥投入口６の一部を覆うことがない。これにより、ルーフカバー９の開閉時に作業状況表示灯２０が邪魔になることがない。また、塵芥投入口６に投入する塵芥が作業状況表示灯２０に引っかかることがない。さらに、作業状況表示灯２０が後方から見てルーフカバー９と塵芥投入口６との間にすっきりと収まり見映えがよい。
【００３６】
また、通常、作業中にＰＴＯの電源を入れるので、塵芥積込装置の作業中には、「作業中」の文字が確実に点灯される。このため、周りの人物に確実に注意喚起可能となる。
【００３７】
また、作業状況表示灯２０を塵芥投入口６の真上に設けることで、例えば作業中であることを明確にでき、安全性が向上する。
【００３８】
さらに、作業状況表示灯２０は、ＬＥＤ光源を利用するので、消費電力が少なくて済む上、軽量でメンテナンスが容易なコンパクトなものとすることができる。また、ＬＥＤ光源を多数並べることで、表示する文字を変更しやすいため、幅広い用途に使用できる。例えば、「作業中」以外の作業状況を示す文字を表示でき、場合によっては、文字を流れるように表示することもできる。
【００３９】
以上説明したように、本実施形態に係る塵芥投入箱５によれば、作業状況を表す作業状況表示灯２０などのオプション部品を適切な位置に確実に固定することができる。また、塵芥投入口６の上縁部の位置を容易に変更することができる。
【００４０】
なお、以上の実施形態は、本質的に好ましい例示であって、本発明、その適用物や用途の範囲を制限することを意図するものではない。
【符号の説明】
【００４１】
１      塵芥収集車
２      車台
３      運転室
４      塵芥収容箱
５      塵芥投入箱
５ａ    左右側壁
５ｂ    後面スペース部材
５１ｂ  滑面部
５ｃ    クロスメンバ
６      塵芥投入口
７      開閉扉
８      サイドカバー
９      ルーフカバー
９ａ    揺動軸
１０      ハイマウントストップランプ
１１      ルーフカバーロック機構
１１ａ    係合部
１１ｂ    フック部
２０      作業状況表示灯（付属部品）
２０ａ    ＬＥＤ表示部
２０ｂ    取付ブラケット
２１      作業灯（付属部品）
２２      ナンバープレート（付属部品）
２３      バックアイカメラ（付属部品）
【図１Ａ】
0006723071.tif 000002
【図１Ｂ】
0006723071.tif 000003
【図２】
0006723071.tif 000004
【図３】
0006723071.tif 000005